(57)【要約】【課題】  足の血流に対して適度の負荷をかけ、足に対する所定のマッサージ効果（健康増進効果）及び美容効果を手軽かつ容易に得るとともに、安価に提供する。【解決手段】  足Ｆに装着して少なくとも足Ｆの表面Ｆｆを圧迫することにより足Ｆの血流に対して負荷を付与する足用健康増進具１を構成するに際して、足Ｆにおける踝Ｆｋの下側位置Ｘｆｋよりも上方における所定の位置Ｘｕに巻くことができ、かつ周回方向に所定の弾性を有する巻付加圧手段２と、この巻付加圧手段２を足Ｆに巻いたときの圧迫力を所定の大きさに設定可能な圧迫力設定手段３とを具備する。【選択図】  図１
0003146653.tif 000002
【実用新案登録請求の範囲】
【請求項１】
足に装着して少なくとも足の表面を圧迫することにより足の血流に対して負荷を付与する足用健康増進具において、足における踝の下側位置よりも上方における所定の位置に巻くことができ、かつ周回方向に所定の弾性を有する巻付加圧手段と、前記巻付加圧手段を足に巻いたときの圧迫力を所定の大きさに設定可能な圧迫力設定手段とを具備してなることを特徴とする足用健康増進具。
【請求項２】
前記巻付加圧手段は、少なくとも一部を別途の靴下類に一体又は着脱可能に構成したことを特徴とする請求項１記載の足用健康増進具。
【請求項３】
前記圧迫力設定手段は、前記巻付加圧手段の両端に設け、かつ着脱位置を任意に変更可能な面ファスナを用いたことを特徴とする請求項１又は２記載の足用健康増進具。
【請求項４】
前記巻付加圧手段を、径の異なる複数のリング部材により形成し、かつ前記圧迫力設定手段を、前記リング部材の選択により実現することを特徴とする請求項１又は２記載の足用健康増進具。
【考案の詳細な説明】
【技術分野】
【０００１】
本考案は、足に装着して少なくとも足の表面を圧迫することにより足の血流に対して負荷を付与する足用健康増進具に関する。
【背景技術】
【０００２】
従来、足に装着して少なくとも足の表面を圧迫することにより足の健康を増進させる足用健康増進具としては、特開平５−２５３２６４号公報により開示されるフットマッサージ器が知られている。
【０００３】
同公報に開示されるフットマッサージ器は、足部に巻装された空気袋体を膨張、収縮させるフットマッサージ器であって、特に、空気袋体におけるかかと部と足首後方上部とを結ぶかかと後方仕切り部、足首後方上部と足首前方折り曲げ部とを結ぶ足首上方仕切り部、足首前方折り曲げ部とかかと部とを結ぶ足首下方仕切り部とで略三角形形状の圧迫空気袋部を形成したものであり、足に装着して少なくとも足の表面を圧迫することにより足の血流に対して負荷を付与できるようにしたものである。
【特許文献１】特開平５−２５３２６４号
【考案の開示】
【考案が解決しようとする課題】
【０００４】
しかし、上述した従来のフットマッサージ器（足用健康増進具）は、次のような問題点があった。
【０００５】
第一に、空気袋体を膨張，収縮させる機能を備える専用のマッサージ装置として構成するため、装置相応のマッサージ効果は得れるものの、装置全体が大型で大掛かりになる。したがって、装置構成に対応した高いコストが強いられるとともに、保管性及び携帯性にも難点がある。
【０００６】
第二に、専用のマッサージ装置として構成することから、使用の際には、使用する場所が制約されるとともに、使用中は時間的に拘束されるなど、何時でも何処でも自由に使用できるものではない。したがって、手軽に使用できないとともに、継続的な使用もできない。
【０００７】
第三に、専用のマッサージ装置として構成することから、マッサージ機能に基づくマッサージ効果は得れるものの、他の機能（効果）、例えば、美容効果等は得れないなど、多機能性（多様性）において十分とは言えない。
【０００８】
本考案は、このような背景技術に存在する課題を解決した足用健康増進具の提供を目的とするものである。
【課題を解決するための手段】
【０００９】
本考案は、上述した課題を解決するため、足Ｆに装着して少なくとも足Ｆの表面Ｆｆを圧迫することにより足Ｆの血流に対して負荷を付与する足用健康増進具１を構成するに際して、足Ｆにおける踝Ｆｋの下側位置Ｘｆｋよりも上方における所定の位置Ｘｕに巻くことができ、かつ周回方向に所定の弾性を有する巻付加圧手段２と、この巻付加圧手段２を足Ｆに巻いたときの圧迫力を所定の大きさに設定可能な圧迫力設定手段３とを具備してなることを特徴とする。
【００１０】
この場合、考案の好適な態様により、巻付加圧手段２は、少なくとも一部２ｐを別途の靴下類５０に一体又は着脱可能に構成することができる。また、圧迫力設定手段３には、巻付加圧手段２の両端に設け、かつ着脱位置を任意に変更可能な面ファスナ４ａ，４ｂを用いることができる。他方、足用健康増進具１は、巻付加圧手段２を、径Ｒａ…の異なる複数のリング部材２０ａ…により形成し、かつ圧迫力設定手段３を、リング部材２０ａ…の選択により実現できる。
【考案の効果】
【００１１】
このような構成を有する本考案に係る足用健康増進具１によれば、次のような顕著な効果を奏する。
【００１２】
（１）  足Ｆにおける踝Ｆｋの下側位置Ｘｆｋよりも上方における所定の位置Ｘｕに巻くことができ、かつ周回方向に所定の弾性を有する巻付加圧手段２と圧迫力を所定の大きさに設定可能な圧迫力設定手段３を備えるため、足Ｆの血流に対して適度の負荷をかけることができる。これにより、足Ｆに対する所定のマッサージ効果（健康増進効果）を容易かつ手軽に得ることができる。
【００１３】
（２）  足Ｆに対して外側から適度に加圧できるとともに、装身具として歩行中でも使用できるなど、何時でも何処でも継続的に使用できる。したがって、足Ｆを細くする美容効果を得ることができる。
【００１４】
（３）  単純な構成により実施できるため、安価（低コスト）に提供できるとともに、小型かつ軽量に構成できるため、保管性及び携帯性に優れる。
【００１５】
（４）  好適な態様により、巻付加圧手段２の少なくとも一部２ｐを、別途の靴下類５０に一体又は着脱可能に構成すれば、足用健康増進具１を靴下類５０における口ゴム５０ｎの一部又は全部として利用できる。したがって、例えば、細目の足Ｆに対する靴下類５０のズレ落ちを回避したり、太目の足に対する締付感を緩和するなど、靴下類５０の付加価値をより高めることができる。
【００１６】
（５）  好適な態様により、圧迫力設定手段３に、巻付加圧手段２の両端に設け、かつ着脱位置を任意に変更可能な面ファスナ４ａ，４ｂを用いれば、巻付加圧手段２を足Ｆに巻いたときの圧迫力の大きさを使用者が自由かつ容易に設定することができる。
【００１７】
（６）  好適な態様により、径Ｒａ…の異なる複数のリング部材２０ａ…により巻付加圧手段２を形成し、かつリング部材２０ａ…の選択により圧迫力設定手段３を実現するようにすれば、装着時の圧迫力を、設定操作を行うことなく所望の大きさに設定でき、使用時の利便性を高めることができる。
【考案を実施するための最良の形態】
【００１８】
次に、本考案に係る最良の実施形態を挙げ、図面に基づき詳細に説明する。
【００１９】
まず、本実施形態に係る足用健康増進具１の構成について、図１及び図２を参照して説明する。
【００２０】
本実施形態に係る足用健康増進具１は、図１に示すように、全体の形態は一般的な靴下５０として構成する。この場合、足Ｆにおける踝Ｆｋの下側位置Ｘｆｋを境として、この下側位置Ｘｆｋよりも下方は通常の靴下本体５１として縫製するとともに、下側位置Ｘｆｋよりも上方を巻付加圧手段２及び圧迫力設定手段３により構成する。巻付加圧手段２は、ゴム糸素材を編むことにより全体が周回方向に所定の弾性を有するように帯状に縫製する。この際、巻付加圧手段２は、両端部２ｓ，２ｔを有し、一端部２ｓ側と他端部２ｔ側は所定の幅Ｌｏにわたってオーバーラップさせる。即ち、横長の帯材の両端側を所定の幅Ｌｏだけオーバーラップさせ、このオーバーラップさせた状態で下端縁を靴下本体５１の上端縁に連続するように縫製した基本態様となる。
【００２１】
また、オーバーラップさせた巻付加圧手段２の一端部２ｓ側の内面と他端部２ｔ側の外面には面ファスナを用いた着脱部Ｋｍｅを設ける。これにより、着脱部Ｋｍｅを利用して一端部２ｓ側と他端部２ｔ側の装着位置を異ならせれば、巻付加圧手段２の圧迫力を所定（任意）の大きさに設定可能となり、この構成が圧迫力設定手段３となる。なお、巻付加圧手段２における踝Ｆｋよりも上側の高さＨｗは、６〜１０〔ｃｍ〕程度に選定することができ、
【００２２】
このように、足用健康増進具１は、巻付加圧手段２と圧迫力設定手段３からなる単純な構成により実施できるため、安価（低コスト）に提供できる。しかも、小型かつ軽量に構成できるため、保管性及び携帯性に優れる利点がある。
【００２３】
次に、本実施形態に係る足用健康増進具１の使用方法及び作用について、図１及び図２を参照して説明する。
【００２４】
まず、足用健康増進具１を使用する際は、着脱部Ｋｍｅ（面ファスナ）を離脱させた状態にしておく。これにより、巻付加圧手段２は上端縁を広く開けることができるため、使用者は、靴下５０を通常の手順により足Ｆに履くことができる。そして、完全に履いたなら、巻付加圧手段２の他端部２ｔ側を一方の手で押さえ、他方の手で一端部２ｓ側を持って他端部２ｔ側に装着する。即ち、面ファスナを用いた着脱部Ｋｍｅの装着を行う。この際、使用者は、他端部２ｔ側に対する一端部２ｓ側の装着位置を異ならせれば、巻付加圧手段２の圧迫力を所定の大きさに設定することができる。したがって、自分に適した圧迫力が得られるように、その装着位置を選定できる。このように、圧迫力設定手段３として、巻付加圧手段２の両端に設け、かつ着脱位置を任意に変更可能な面ファスナによる着脱部Ｋｍｅを用いれば、巻付加圧手段２を足Ｆに巻いたときの圧迫力の大きさを使用者が自由かつ容易に設定できる利点がある。
【００２５】
これにより、使用者に対する足用健康増進具１の装着が完了し、巻付加圧手段２は、足Ｆにおける踝Ｆｋの下側位置Ｘｆｋよりも上方における所定の位置Ｘｕに巻かれる。この結果、巻付加圧手段２により足Ｆの表面Ｆｆが圧迫されることにより足Ｆの血流に対して負荷が付与される。
【００２６】
このように、本実施形態に係る足用健康増進具１は、極めて容易かつ短時間に装着することができる。そして、使用者の足Ｆの血流に対して足用健康増進具１は適度の負荷をかけることができるため、足Ｆに対する所定のマッサージ効果（健康増進効果）を手軽かつ容易に得ることができる。なお、通常時における浮腫んだ足Ｆに装着を試みた結果、浮腫みを低減させることができた。
【００２７】
一方、使用者は、装身具として歩行中などでも使用できるため、任意の時間にわたって装着を継続することができる。即ち、足用健康増進具１は、何時でも何処でも継続的に使用が可能となる。そして、足用健康増進具１の装着時には、足Ｆに対して外側から適度な加圧が可能となるため、足Ｆを細くする美容効果も得ることができる。
【００２８】
次に、本考案の変更実施形態に係る足用健康増進具１について、図３〜図８を参照して説明する。
【００２９】
図３〜図６は第一変更実施形態に係る足用健康増進具１を示す。巻付加圧手段２は、図３に示すように、ゴム糸素材を編むことにより全体が短冊状の帯材２ｏとなるように形成する。この場合、図６に示すように、帯材２ｏの高さ方向の幅Ｈｗは、６〜１０〔ｃｍ〕程度に選定するとともに、帯材２ｏの長さは、足Ｆにおける踝Ｆｋよりも所定高さＨｕだけ上方となる位置Ｘｕに巻くことができる長さを選定する。この所定高さＨｕは、踝Ｆｋの上端と帯材２ｏの下端辺２ｏｄ間の寸法であり、概ね１．５〜２．５〔ｃｍ〕程度に選定することができる。これにより、長手方向に所定の弾性を有する帯状に形成した巻付加圧手段２が得られる。
【００３０】
圧迫力設定手段３は、巻付加圧手段２を足Ｆに巻いたときの圧迫力を所定の大きさに設定する機能を有し、図３に示すように、帯材２ｏの両端に設けた面ファスナ４ａ，４ｂを用いる。この場合、面ファスナ４ａは着脱側、面ファスナ４ｂは被着脱側となり、面ファスナ４ａと４ｂは、着脱自在となる。したがって、面ファスナ４ａと４ｂの着脱位置を任意に変更することが可能となり、この着脱位置の変更により、足用健康増進具１（巻付加圧手段２）を足Ｆに巻いたときの圧迫力を所定の大きさに設定できる。
【００３１】
一方、足用健康増進具１は、巻付加圧手段２の少なくとも一部２ｐを別途の靴下類５０に一体化して構成する。図３には、靴下類５０として靴下を示すが、この靴下類５０（靴下）の上端にある靴下口５０ｒ近傍の外面に帯材２ｏの一部を縫い付けて一体化する。図３及び図５中の符号Ｋｍは縫付部（固定結合部）を示している。これにより、足用健康増進具１は靴下類５０における口ゴム５０ｎの一部又は全部として利用できる。即ち、図３に示すように、靴下類５０が口ゴム５０ｎを有する一般的な靴下であれば、足用健康増進具１は口ゴム５０ｎの一部として利用されるとともに、他方、靴下類５０が口ゴムの無い専用に製作した靴下であれば、足用健康増進具１は当該靴下における口ゴムの全部として利用される。なお、図３は、巻付加圧手段２の少なくとも一部２ｐを別途の靴下類５０に一体となるように固定して構成した場合を示したが、巻付加圧手段２と靴下類５０は着脱可能に構成してもよい。この場合、上述した縫付部Ｋｍを、着脱可能な着脱部Ｋｍｅとして構成すればよく、この着脱部Ｋｍｅは上述した面ファスナを利用できる。
【００３２】
このように、足用健康増進具１における巻付加圧手段２の少なくとも一部２ｐを、別途の靴下類５０に一体又は着脱可能となるように構成すれば、足用健康増進具１を靴下類５０における口ゴム５０ｎの一部又は全部として利用できる。このため、例えば、細目の足Ｆに対する靴下類５０のズレ落ちを回避したり、太目の足に対する締付感を緩和するなど、靴下類５０の付加価値をより高めることができる利点がある。
【００３３】
第一変更実施形態に係る足用健康増進具１は、次のように使用することができる。まず、足用健康増進具１を使用する際は、図３に示すように、面ファスナ４ａと４ｂは、離脱させた状態にしておく。そして、使用者は、靴下類５０（靴下）を通常の手順により足Ｆに履く。次いで、帯材２ｏの先端を手で持ち、図４に示すように、帯材２ｏを足Ｆに巻くとともに、帯材２ｏの先端側に設けた面ファスナ４ａを他方の面ファスナ４ｂに装着する。この際、面ファスナ４ａと４ｂの着脱位置は任意に変更できるため、使用者は、自分に適した圧迫力が得られるように、その着脱位置を選定できる。このように、圧迫力設定手段３に、巻付加圧手段２の両端に設け、かつ着脱位置を任意に変更可能な面ファスナ４ａ，４ｂを用いれば、巻付加圧手段２を足Ｆに巻いたときの圧迫力の大きさを使用者が自由かつ容易に設定できる。
【００３４】
これにより、使用者に対する足用健康増進具１の装着が完了する。このように、足用健康増進具１は、極めて容易かつ短時間に装着することができる。したがって、使用者の足Ｆの血流に対して足用健康増進具１は適度の負荷をかけることができるため、足Ｆに対する所定のマッサージ効果（健康増進効果）を手軽かつ容易に得ることができる。なお、通常時における浮腫んだ足Ｆに装着を試みた結果、浮腫みを低減させることができた。
【００３５】
一方、使用者は、装身具として歩行中などでも使用できるため、任意の時間にわたって装着を継続することができる。即ち、足用健康増進具１は、何時でも何処でも継続的に使用が可能となる。そして、足用健康増進具１の装着時には、足Ｆに対して外側から適度な加圧が可能となるため、足Ｆを細くする美容効果も得ることができる。
【００３６】
図７は第二変更実施形態に係る足用健康増進具１を示す。同図に示す足用健康増進具１は、サポータ形式により構成したものであり、靴下類５０に対して別体に構成した。したがって、図７に示す足用健康増進具１は、図３に示した足用健康増進具１に対して、基本的には同一構成とすることができる。この場合、図７に示す足用健康増進具１は、靴下類５０に対して一体では無く、又は着脱可能に構成したものではない点において、図３〜図５に示した足用健康増進具１とは相違する。図７に示す足用健康増進具１は、任意の靴下類５０と組合わせて使用できるとともに、夏季等のように、靴下類５０を履かない状態であっても、足用健康増進具１を単独で使用できる利点がある。なお、図７において、符号７…は目盛表示部を示す。これにより、使用者が、面ファスナ４ａと４ｂの装着位置を選定する際に、目盛表示部７…を目安にして装着、即ち、帯材２ｏの先端辺２ｏｓを所定の目盛表示部７…に一致させて装着できる。その他、図７において、図３〜図６と同一部分には同一符号を付してその構成を明確にするとともに、その詳細な説明は省略する。
【００３７】
図８は、第三変更実施形態に係る足用健康増進具１を示す。同図に示す足用健康増進具１は、巻付加圧手段２を、径Ｒａ，Ｒｂ，Ｒｃ…の異なる複数のリング部材２０ａ，２０ｂ，２０ｃ…により形成し、かつ圧迫力設定手段３を、リング部材２０ａ，２０ｂ，２０ｃ…の選択により実現するように構成したものである。したがって、図８に示す足用健康増進具１を使用する場合、使用者は、予め、径Ｒａ，Ｒｂ，Ｒｃ…の異なる複数のリング部材２０ａ，２０ｂ，２０ｃ…から自分に適したリング部材２０ａ…を選択する。そして、足Ｆに装着する際は、リング部材２０ａ…（帯材２ｏ）を引き伸ばすことにより径Ｒａ…を拡大させ、足Ｆの先端側から嵌め入れればよい。このような図８に示す足用健康増進具１によれば、装着時の圧迫力を、設定操作を行うことなく所望の大きさに設定できるため、使用時の利便性を高めることができる利点がある。なお、図８に示した足用健康増進具１は、帯材２ｏの下端辺２ｏｄの形状を、踝Ｆｋの形状に沿って形成した場合を示している。その他、図８において、図３〜図６と同一部分には同一符号を付してその構成を明確にするとともに、その詳細な説明は省略する。
【００３８】
以上、最良の実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【００３９】
例えば、巻付加圧手段２は、一部２ｐを別途の靴下類５０に一体に構成する場合を示したが、全部を靴下類５０に一体に構成する場合を排除するものではない。また、圧迫力設定手段３として、巻付加圧手段２の両端に設け、かつ着脱位置を任意に変更可能な面ファスナ４ａ，４ｂを用いた場合を例示したが、ボタンなど、他の巻付加圧手段２の形態を排除するものではない。なお、靴下類５０とは、靴下をはじめ、足Ｆに装着するサポータ等の各種靴下類を含む概念である。
【図面の簡単な説明】
【００４０】
【図１】本考案の最良の実施形態に係る足用健康増進具の側面図、
【図２】同足用健康増進具の使用状態を示す斜視図、
【図３】本考案の第一変更実施形態に係る足用健康増進具の斜視図、
【図４】同足用健康増進具の使用状態を示す斜視図、
【図５】同足用健康増進具の原理構成を示す断面平面図、
【図６】同足用健康増進具の寸法説明図、
【図７】本考案の第二変更実施形態に係る足用健康増進具の斜視図、
【図８】本考案の第三変更実施形態に係る足用健康増進具を示す断面平面図及び側面図、
【符号の説明】
【００４１】
１：足用健康増進具，２：巻付加圧手段，２ｐ：巻付加圧手段の一部，３：圧迫力設定手段，４ａ：面ファスナ，４ｂ：面ファスナ，２０ａ…：リング部材，５０：靴下類，Ｆ：足，Ｆｆ：足の表面，Ｆｋ：踝，Ｈｕ：所定高さ，Ｘｕ：足の位置，Ｒａ…：径
【図１】
0003146653.tif 000003
【図２】
0003146653.tif 000004
【図３】
0003146653.tif 000005
【図４】
0003146653.tif 000006
【図５】
0003146653.tif 000007
【図６】
0003146653.tif 000008
【図７】
0003146653.tif 000009
【図８】
0003146653.tif 000010
【手続補正書】
【提出日】平成20年9月16日(2008.9.16)
【手続補正１】
【補正対象書類名】実用新案登録請求の範囲
【補正対象項目名】全文
【補正方法】変更
【補正の内容】
【実用新案登録請求の範囲】
【請求項１】
足に装着して少なくとも足の表面を圧迫することにより足の血流に対して負荷を付与する足用健康増進具において、足における踝の下側位置よりも上方における所定の位置に巻くことができ、かつ周回方向に所定の弾性を有する巻付加圧手段と、この巻付加圧手段の両端に設け、かつ着脱位置を任意に変更可能な面ファスナを用いることにより、前記巻付加圧手段を足に巻いたときの圧迫力を所定の大きさに設定可能な圧迫力設定手段とを具備してなることを特徴とする足用健康増進具。
【請求項２】
前記巻付加圧手段は、少なくとも一部を別途の靴下類に一体又は着脱可能に構成したことを特徴とする請求項１記載の足用健康増進具。
【手続補正２】
【補正対象書類名】明細書
【補正対象項目名】全文
【補正方法】変更
【補正の内容】
【考案の詳細な説明】
【技術分野】
【０００１】
本考案は、足に装着して少なくとも足の表面を圧迫することにより足の血流に対して負荷を付与する足用健康増進具に関する。
【背景技術】
【０００２】
従来、足に装着して少なくとも足の表面を圧迫することにより足の健康を増進させる足用健康増進具としては、特開平５−２５３２６４号公報により開示されるフットマッサージ器が知られている。
【０００３】
同公報に開示されるフットマッサージ器は、足部に巻装された空気袋体を膨張、収縮させるフットマッサージ器であって、特に、空気袋体におけるかかと部と足首後方上部とを結ぶかかと後方仕切り部、足首後方上部と足首前方折り曲げ部とを結ぶ足首上方仕切り部、足首前方折り曲げ部とかかと部とを結ぶ足首下方仕切り部とで略三角形形状の圧迫空気袋部を形成したものであり、足に装着して少なくとも足の表面を圧迫することにより足の血流に対して負荷を付与できるようにしたものである。
【特許文献１】特開平５−２５３２６４号
【考案の開示】
【考案が解決しようとする課題】
【０００４】
しかし、上述した従来のフットマッサージ器（足用健康増進具）は、次のような問題点があった。
【０００５】
第一に、空気袋体を膨張，収縮させる機能を備える専用のマッサージ装置として構成するため、装置相応のマッサージ効果は得れるものの、装置全体が大型で大掛かりになる。したがって、装置構成に対応した高いコストが強いられるとともに、保管性及び携帯性にも難点がある。
【０００６】
第二に、専用のマッサージ装置として構成することから、使用の際には、使用する場所が制約されるとともに、使用中は時間的に拘束されるなど、何時でも何処でも自由に使用できるものではない。したがって、手軽に使用できないとともに、継続的な使用もできない。
【０００７】
第三に、専用のマッサージ装置として構成することから、マッサージ機能に基づくマッサージ効果は得れるものの、他の機能（効果）、例えば、美容効果等は得れないなど、多機能性（多様性）において十分とは言えない。
【０００８】
本考案は、このような背景技術に存在する課題を解決した足用健康増進具の提供を目的とするものである。
【課題を解決するための手段】
【０００９】
本考案は、上述した課題を解決するため、足Ｆに装着して少なくとも足Ｆの表面Ｆｆを圧迫することにより足Ｆの血流に対して負荷を付与する足用健康増進具１を構成するに際して、足Ｆにおける踝Ｆｋの下側位置Ｘｆｋよりも上方における所定の位置Ｘｕに巻くことができ、かつ周回方向に所定の弾性を有する巻付加圧手段２と、この巻付加圧手段２の両端に設け、かつ着脱位置を任意に変更可能な面ファスナ４ａ，４ｂを用いることにより、巻付加圧手段２を足Ｆに巻いたときの圧迫力を所定の大きさに設定可能な圧迫力設定手段３とを具備してなることを特徴とする。
【００１０】
この場合、考案の好適な態様により、巻付加圧手段２は、少なくとも一部２ｐを別途の靴下類５０に一体又は着脱可能に構成することができる。
【考案の効果】
【００１１】
このような構成を有する本考案に係る足用健康増進具１によれば、次のような顕著な効果を奏する。
【００１２】
（１）  足Ｆにおける踝Ｆｋの下側位置Ｘｆｋよりも上方における所定の位置Ｘｕに巻くことができ、かつ周回方向に所定の弾性を有する巻付加圧手段２と圧迫力を所定の大きさに設定可能な圧迫力設定手段３を備えるため、足Ｆの血流に対して適度の負荷をかけることができる。これにより、足Ｆに対する所定のマッサージ効果（健康増進効果）を容易かつ手軽に得ることができる。
【００１３】
（２）  足Ｆに対して外側から適度に加圧できるとともに、装身具として歩行中でも使用できるなど、何時でも何処でも継続的に使用できる。したがって、足Ｆを細くする美容効果を得ることができる。
【００１４】
（３）  単純な構成により実施できるため、安価（低コスト）に提供できるとともに、小型かつ軽量に構成できるため、保管性及び携帯性に優れる。
【００１５】
（４）  巻付加圧手段２の両端に設け、かつ着脱位置を任意に変更可能な面ファスナ４ａ，４ｂを用いた圧迫力設定手段３を備えるため、巻付加圧手段２を足Ｆに巻いたときの圧迫力の大きさを使用者が自由かつ容易に設定することができる。
【００１６】
（５）  好適な態様により、巻付加圧手段２の少なくとも一部２ｐを、別途の靴下類５０に一体又は着脱可能に構成すれば、足用健康増進具１を靴下類５０における口ゴム５０ｎの一部又は全部として利用できる。したがって、例えば、細目の足Ｆに対する靴下類５０のズレ落ちを回避したり、太目の足に対する締付感を緩和するなど、靴下類５０の付加価値をより高めることができる。
【考案を実施するための最良の形態】
【００１７】
次に、本考案に係る最良の実施形態を挙げ、図面に基づき詳細に説明する。
【００１８】
まず、本実施形態に係る足用健康増進具１の構成について、図１及び図２を参照して説明する。
【００１９】
本実施形態に係る足用健康増進具１は、図１に示すように、全体の形態は一般的な靴下５０として構成する。この場合、足Ｆにおける踝Ｆｋの下側位置Ｘｆｋを境として、この下側位置Ｘｆｋよりも下方は通常の靴下本体５１として縫製するとともに、下側位置Ｘｆｋよりも上方を巻付加圧手段２及び圧迫力設定手段３により構成する。巻付加圧手段２は、ゴム糸素材を編むことにより全体が周回方向に所定の弾性を有するように帯状に縫製する。この際、巻付加圧手段２は、両端部２ｓ，２ｔを有し、一端部２ｓ側と他端部２ｔ側は所定の幅Ｌｏにわたってオーバーラップさせる。即ち、横長の帯材の両端側を所定の幅Ｌｏだけオーバーラップさせ、このオーバーラップさせた状態で下端縁を靴下本体５１の上端縁に連続するように縫製した基本態様となる。
【００２０】
また、オーバーラップさせた巻付加圧手段２の一端部２ｓ側の内面と他端部２ｔ側の外面には面ファスナを用いた着脱部Ｋｍｅを設ける。これにより、着脱部Ｋｍｅを利用して一端部２ｓ側と他端部２ｔ側の装着位置を異ならせれば、巻付加圧手段２の圧迫力を所定（任意）の大きさに設定可能となり、この構成が圧迫力設定手段３となる。なお、巻付加圧手段２における踝Ｆｋよりも上側の高さＨｗは、６〜１０〔ｃｍ〕程度に選定することができ、
【００２１】
このように、足用健康増進具１は、巻付加圧手段２と圧迫力設定手段３からなる単純な構成により実施できるため、安価（低コスト）に提供できる。しかも、小型かつ軽量に構成できるため、保管性及び携帯性に優れる利点がある。
【００２２】
次に、本実施形態に係る足用健康増進具１の使用方法及び作用について、図１及び図２を参照して説明する。
【００２３】
まず、足用健康増進具１を使用する際は、着脱部Ｋｍｅ（面ファスナ）を離脱させた状態にしておく。これにより、巻付加圧手段２は上端縁を広く開けることができるため、使用者は、靴下５０を通常の手順により足Ｆに履くことができる。そして、完全に履いたなら、巻付加圧手段２の他端部２ｔ側を一方の手で押さえ、他方の手で一端部２ｓ側を持って他端部２ｔ側に装着する。即ち、面ファスナを用いた着脱部Ｋｍｅの装着を行う。この際、使用者は、他端部２ｔ側に対する一端部２ｓ側の装着位置を異ならせれば、巻付加圧手段２の圧迫力を所定の大きさに設定することができる。したがって、自分に適した圧迫力が得られるように、その装着位置を選定できる。このように、圧迫力設定手段３として、巻付加圧手段２の両端に設け、かつ着脱位置を任意に変更可能な面ファスナによる着脱部Ｋｍｅを用いれば、巻付加圧手段２を足Ｆに巻いたときの圧迫力の大きさを使用者が自由かつ容易に設定できる利点がある。
【００２４】
これにより、使用者に対する足用健康増進具１の装着が完了し、巻付加圧手段２は、足Ｆにおける踝Ｆｋの下側位置Ｘｆｋよりも上方における所定の位置Ｘｕに巻かれる。この結果、巻付加圧手段２により足Ｆの表面Ｆｆが圧迫されることにより足Ｆの血流に対して負荷が付与される。
【００２５】
このように、本実施形態に係る足用健康増進具１は、極めて容易かつ短時間に装着することができる。そして、使用者の足Ｆの血流に対して足用健康増進具１は適度の負荷をかけることができるため、足Ｆに対する所定のマッサージ効果（健康増進効果）を手軽かつ容易に得ることができる。なお、通常時における浮腫んだ足Ｆに装着を試みた結果、浮腫みを低減させることができた。
【００２６】
一方、使用者は、装身具として歩行中などでも使用できるため、任意の時間にわたって装着を継続することができる。即ち、足用健康増進具１は、何時でも何処でも継続的に使用が可能となる。そして、足用健康増進具１の装着時には、足Ｆに対して外側から適度な加圧が可能となるため、足Ｆを細くする美容効果も得ることができる。
【００２７】
次に、本考案の変更実施形態に係る足用健康増進具１について、図３〜図７を参照して説明する。
【００２８】
図３〜図６は第一変更実施形態に係る足用健康増進具１を示す。巻付加圧手段２は、図３に示すように、ゴム糸素材を編むことにより全体が短冊状の帯材２ｏとなるように形成する。この場合、図６に示すように、帯材２ｏの高さ方向の幅Ｈｗは、６〜１０〔ｃｍ〕程度に選定するとともに、帯材２ｏの長さは、足Ｆにおける踝Ｆｋよりも所定高さＨｕだけ上方となる位置Ｘｕに巻くことができる長さを選定する。この所定高さＨｕは、踝Ｆｋの上端と帯材２ｏの下端辺２ｏｄ間の寸法であり、概ね１．５〜２．５〔ｃｍ〕程度に選定することができる。これにより、長手方向に所定の弾性を有する帯状に形成した巻付加圧手段２が得られる。
【００２９】
圧迫力設定手段３は、巻付加圧手段２を足Ｆに巻いたときの圧迫力を所定の大きさに設定する機能を有し、図３に示すように、帯材２ｏの両端に設けた面ファスナ４ａ，４ｂを用いる。この場合、面ファスナ４ａは着脱側、面ファスナ４ｂは被着脱側となり、面ファスナ４ａと４ｂは、着脱自在となる。したがって、面ファスナ４ａと４ｂの着脱位置を任意に変更することが可能となり、この着脱位置の変更により、足用健康増進具１（巻付加圧手段２）を足Ｆに巻いたときの圧迫力を所定の大きさに設定できる。
【００３０】
一方、足用健康増進具１は、巻付加圧手段２の少なくとも一部２ｐを別途の靴下類５０に一体化して構成する。図３には、靴下類５０として靴下を示すが、この靴下類５０（靴下）の上端にある靴下口５０ｒ近傍の外面に帯材２ｏの一部を縫い付けて一体化する。図３及び図５中の符号Ｋｍは縫付部（固定結合部）を示している。これにより、足用健康増進具１は靴下類５０における口ゴム５０ｎの一部又は全部として利用できる。即ち、図３に示すように、靴下類５０が口ゴム５０ｎを有する一般的な靴下であれば、足用健康増進具１は口ゴム５０ｎの一部として利用されるとともに、他方、靴下類５０が口ゴムの無い専用に製作した靴下であれば、足用健康増進具１は当該靴下における口ゴムの全部として利用される。なお、図３は、巻付加圧手段２の少なくとも一部２ｐを別途の靴下類５０に一体となるように固定して構成した場合を示したが、巻付加圧手段２と靴下類５０は着脱可能に構成してもよい。この場合、上述した縫付部Ｋｍを、着脱可能な着脱部Ｋｍｅとして構成すればよく、この着脱部Ｋｍｅは上述した面ファスナを利用できる。
【００３１】
このように、足用健康増進具１における巻付加圧手段２の少なくとも一部２ｐを、別途の靴下類５０に一体又は着脱可能となるように構成すれば、足用健康増進具１を靴下類５０における口ゴム５０ｎの一部又は全部として利用できる。このため、例えば、細目の足Ｆに対する靴下類５０のズレ落ちを回避したり、太目の足に対する締付感を緩和するなど、靴下類５０の付加価値をより高めることができる利点がある。
【００３２】
第一変更実施形態に係る足用健康増進具１は、次のように使用することができる。まず、足用健康増進具１を使用する際は、図３に示すように、面ファスナ４ａと４ｂは、離脱させた状態にしておく。そして、使用者は、靴下類５０（靴下）を通常の手順により足Ｆに履く。次いで、帯材２ｏの先端を手で持ち、図４に示すように、帯材２ｏを足Ｆに巻くとともに、帯材２ｏの先端側に設けた面ファスナ４ａを他方の面ファスナ４ｂに装着する。この際、面ファスナ４ａと４ｂの着脱位置は任意に変更できるため、使用者は、自分に適した圧迫力が得られるように、その着脱位置を選定できる。このように、圧迫力設定手段３に、巻付加圧手段２の両端に設け、かつ着脱位置を任意に変更可能な面ファスナ４ａ，４ｂを用いれば、巻付加圧手段２を足Ｆに巻いたときの圧迫力の大きさを使用者が自由かつ容易に設定できる。
【００３３】
これにより、使用者に対する足用健康増進具１の装着が完了する。このように、足用健康増進具１は、極めて容易かつ短時間に装着することができる。したがって、使用者の足Ｆの血流に対して足用健康増進具１は適度の負荷をかけることができるため、足Ｆに対する所定のマッサージ効果（健康増進効果）を手軽かつ容易に得ることができる。なお、通常時における浮腫んだ足Ｆに装着を試みた結果、浮腫みを低減させることができた。
【００３４】
一方、使用者は、装身具として歩行中などでも使用できるため、任意の時間にわたって装着を継続することができる。即ち、足用健康増進具１は、何時でも何処でも継続的に使用が可能となる。そして、足用健康増進具１の装着時には、足Ｆに対して外側から適度な加圧が可能となるため、足Ｆを細くする美容効果も得ることができる。
【００３５】
図７は第二変更実施形態に係る足用健康増進具１を示す。同図に示す足用健康増進具１は、サポータ形式により構成したものであり、靴下類５０に対して別体に構成した。したがって、図７に示す足用健康増進具１は、図３に示した足用健康増進具１に対して、基本的には同一構成とすることができる。この場合、図７に示す足用健康増進具１は、靴下類５０に対して一体では無く、又は着脱可能に構成したものではない点において、図３〜図５に示した足用健康増進具１とは相違する。図７に示す足用健康増進具１は、任意の靴下類５０と組合わせて使用できるとともに、夏季等のように、靴下類５０を履かない状態であっても、足用健康増進具１を単独で使用できる利点がある。なお、図７において、符号７…は目盛表示部を示す。これにより、使用者が、面ファスナ４ａと４ｂの装着位置を選定する際に、目盛表示部７…を目安にして装着、即ち、帯材２ｏの先端辺２ｏｓを所定の目盛表示部７…に一致させて装着できる。その他、図７において、図３〜図６と同一部分には同一符号を付してその構成を明確にするとともに、その詳細な説明は省略する。
【００３６】
なお、図８は、参考実施形態に係る足用健康増進具１を示す。同図に示す足用健康増進具１は、巻付加圧手段２を、径Ｒａ，Ｒｂ，Ｒｃ…の異なる複数のリング部材２０ａ，２０ｂ，２０ｃ…により形成し、かつ圧迫力設定手段３を、リング部材２０ａ，２０ｂ，２０ｃ…の選択により実現するように構成したものである。したがって、図８に示す足用健康増進具１を使用する場合、使用者は、予め、径Ｒａ，Ｒｂ，Ｒｃ…の異なる複数のリング部材２０ａ，２０ｂ，２０ｃ…から自分に適したリング部材２０ａ…を選択する。そして、足Ｆに装着する際は、リング部材２０ａ…（帯材２ｏ）を引き伸ばすことにより径Ｒａ…を拡大させ、足Ｆの先端側から嵌め入れればよい。このような図８に示す足用健康増進具１によれば、装着時の圧迫力を、設定操作を行うことなく所望の大きさに設定できるため、使用時の利便性を高めることができる利点がある。なお、図８に示した足用健康増進具１は、帯材２ｏの下端辺２ｏｄの形状を、踝Ｆｋの形状に沿って形成した場合を示している。その他、図８において、図３〜図６と同一部分には同一符号を付してその構成を明確にするとともに、その詳細な説明は省略する。
【００３７】
以上、最良の実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【００３８】
例えば、巻付加圧手段２は、一部２ｐを別途の靴下類５０に一体に構成する場合を示したが、全部を靴下類５０に一体に構成する場合を排除するものではない。なお、靴下類５０とは、靴下をはじめ、足Ｆに装着するサポータ等の各種靴下類を含む概念である。
【図面の簡単な説明】
【００３９】
【図１】本考案の最良の実施形態に係る足用健康増進具の側面図、
【図２】同足用健康増進具の使用状態を示す斜視図、
【図３】本考案の第一変更実施形態に係る足用健康増進具の斜視図、
【図４】同足用健康増進具の使用状態を示す斜視図、
【図５】同足用健康増進具の原理構成を示す断面平面図、
【図６】同足用健康増進具の寸法説明図、
【図７】本考案の第二変更実施形態に係る足用健康増進具の斜視図、
【図８】参考実施形態に係る足用健康増進具を示す断面平面図及び側面図、
【符号の説明】
【００４０】
１：足用健康増進具，２：巻付加圧手段，２ｐ：巻付加圧手段の一部，３：圧迫力設定手段，４ａ：面ファスナ，４ｂ：面ファスナ，２０ａ…：リング部材，５０：靴下類，Ｆ：足，Ｆｆ：足の表面，Ｆｋ：踝，Ｈｕ：所定高さ，Ｘｕ：足の位置